(57)【要約】      （修正有）【課題】洗濯物の乾燥を促進するためのハンガー用補助具を提供する。【解決手段】洗濯物の乾燥を促進する為のハンガー用補助具１は、１本の針金からなる１対の長辺部３，４と１対の短辺部を有する長方形枠を、１対の長辺部３，４の中間部で鋭角的に折り曲げることで、１対の中間部を鋭角状の屈曲部Ａ，Ａとして繋がった１対の逆門形枠７，８を形成し、ハンガーＨの１対の傾斜部材ａ，ｂの１対の下端を繋ぐ水平部材ｃに上記１対の屈曲部Ａ，Ａを引っ掛けた使用状態で、ハンガーＨに掛けられた洗濯物であるシャツＳの内部空間を１対の逆門形枠７，８でもって拡大可能に構成した。【選択図】図１
0003155109.tif 000002
【実用新案登録請求の範囲】
【請求項１】
ハンガーに掛けた洗濯物の内部に配置可能なハンガー用補助具において、
１本の針金からなる１対の長辺部と１対の短辺部を有する長方形枠を、１対の長辺部の中間部で鋭角的に折り曲げることで、前記１対の中間部を鋭角状の屈曲部として繋がった１対の逆門形枠を形成し、
ハンガーの１対の傾斜部材の１対の下端部を繋ぐ水平部材に上記１対の屈曲部を引っ掛けた使用状態では、ハンガーに掛けられた洗濯物の内部空間を１対の逆門形枠でもって拡大可能に構成したことを特徴とするハンガー用補助具。
【請求項２】
ハンガーに掛けた洗濯物の内部に配置可能なハンガー用補助具において、
１本の針金からなる１対の長辺部と１対の短辺部を有する長方形枠を、１対の長辺部の中間部で鋭角的に折り曲げることで、前記１対の中間部を鋭角状の屈曲部として繋がった１対の逆門形枠を形成し、
ハンガーの１対の傾斜部材の１対の下端部を繋ぐ水平部材に上記１対の屈曲部を連結部材で連結した使用状態では、ハンガーに掛けられた洗濯物の内部空間を１対の逆門形枠でもって拡大可能に構成したことを特徴とするハンガー用補助具。
【請求項３】
前記屈曲部をハンガーに縛る為の紐を前記屈曲部に取り付けたことを特徴とする請求項１に記載のハンガー用補助具。
【請求項４】
前記針金は合成樹脂被膜で被覆されていることを特徴とする請求項１〜３の何れか１つに記載のハンガー用補助具。
【考案の詳細な説明】
【技術分野】
【０００１】
本考案は、洗濯物を干す為のハンガーに取り付けて洗濯物の内部空間を拡大し、洗濯物の乾燥を促進する為のハンガー用補助具に関する。
【背景技術】
【０００２】
従来、洗濯物の乾燥に用いられるハンガーとしては、針金や合成樹脂製のものが使用されている。これらのハンガーに衣類等の洗濯物を掛けた場合、特にハンガーの幅方向の厚みが非常に小さい（特に、針金ハンガーの場合約３ｍｍ程度）ため、衣類の前身頃と後見頃が互いに密着した状態となっていた。
しかし、衣類の前身頃と後見頃が互いに密着した状態では、洗濯物の内部空間への風通しが悪く、洗濯物が乾燥しにくいという問題がある。そこで、洗濯物の内部空間を拡大可能にしたハンガーが提案されている。
【０００３】
例えば、特許文献１に記載の合成樹脂製のハンガーにおいては、衣類を掛ける部分であるショルダーの下端部を繋ぐ水平部材を前後に間隔を空けて配置した２本の部材を主体にして構成してある。このハンガーのショルダーに衣類を掛けると、衣類の内部空間が拡大し、風通しが良くなり、洗濯物の乾燥を促進できる。
【先行技術文献】
【特許文献】
【０００４】
【特許文献１】特開２００６−１４１６５９号公報
【考案の概要】
【考案が解決しようとする課題】
【０００５】
しかし、特許文献１のハンガーにおいては、洗濯物の乾燥に使用しない時、クローゼット等にコンパクトに収納するため、２本の部材からなる水平部材を９０度回動可能に構成したため、構造が複雑化し、部品点数が多くなり、成形の為の金型のコストを含めると製造コストが高くなるという問題がある。しかも、既存のハンガーには適用できないため、既存のハンガーを利用できないという問題がある。
【０００６】
本考案の目的は、洗濯物の内部空間を拡大して乾燥を促進する為のハンガー用補助具であって、既存のハンガーに着脱して使用可能であり、シンプルな構造で安価に製作できるハンガー用補助具を提供することである。
【課題を解決するための手段】
【０００７】
請求項１のハンガー用補助具は、ハンガーに掛けた洗濯物の内部に配置可能なハンガー用補助具において、１本の針金からなる１対の長辺部と１対の短辺部を有する長方形枠を、１対の長辺部の中間部で鋭角的に折り曲げることで、前記１対の中間部を鋭角状の屈曲部として繋がった１対の逆門形枠を形成し、ハンガーの１対の傾斜部材の１対の下端部を繋ぐ水平部材に上記１対の屈曲部を引っ掛けた使用状態では、ハンガーに掛けられた洗濯物の内部空間を１対の逆門形枠でもって拡大可能に構成したことを特徴としている。
【０００８】
ハンガーの水平部材に、ハンガー用補助具の１対の屈曲部を引っ掛け、１対の逆門形枠を下方へ垂れ下げさせ、ハンガーに選択物を掛けた使用状態では、洗濯物の内部空間が拡大され、例えば洗濯物が衣類である場合前身頃と後見頃が互いに密着しなくなるため、洗濯物の乾燥を促進することができる。
【０００９】
請求項２のハンガー用補助具は、ハンガーに掛けた洗濯物の内部に配置可能なハンガー用補助具において、１本の針金からなる１対の長辺部と１対の短辺部を有する長方形枠を、１対の長辺部の中間部で鋭角的に折り曲げることで、前記１対の中間部を鋭角状の屈曲部として繋がった１対の逆門形枠を形成し、ハンガーの１対の傾斜部材の１対の下端部を繋ぐ水平部材に上記１対の屈曲部を連結部材で連結した使用状態では、ハンガーに掛けられた洗濯物の内部空間を１対の逆門形枠でもって拡大可能に構成したことを特徴としている。
ハンガーの水平部材に、ハンガー用補助具の１対の屈曲部を連結部材（例えば、紐など）で連結して使用するが、請求項１のハンガー用補助具と同様の作用を奏する。
【００１０】
請求項３のハンガー用補助具は、請求項１の考案において、前記屈曲部をハンガーに縛る為の紐を前記屈曲部に取り付けたことを特徴としている。
請求項４のハンガー用補助具は、請求項１〜３の何れか１つの考案において、前記針金は合成樹脂被膜で被覆されていることを特徴としている。
【考案の効果】
【００１１】
請求項１の考案によれば、１本の針金からなる１対の長辺部と１対の短辺部を有する長方形枠を、１対の長辺部の中間部で鋭角的に折り曲げることで、１対の中間部を鋭角状の屈曲部として繋がった１対の逆門形枠を形成したので、ハンガー用補助具は少ない部品点数の簡単な構造であり、安価に製造することができる。
【００１２】
ハンガーの１対の傾斜部材の１対の下端部を繋ぐ水平部材に上記１対の屈曲部を引っ掛けた使用状態で、ハンガーに掛けられた洗濯物の内部空間を１対の逆門形枠でもって拡大可能に構成したので、ハンガー用補助具を取り付けたハンガーに濡れた状態の洗濯物を掛けると、洗濯物の内部空間が拡大され、例えば洗濯物が衣類である場合、前身頃と後見頃が互いに密着するのを防いで、洗濯物の乾燥を促進することができる。
また、不使用時には、ハンガー用補助具をハンガーから取り外した状態で保管できるため、従来通りハンガーをコンパクトに収納でき、ハンガー用補助具も複数個同士を重ね合わせることでコンパクトに収納できる。
【００１３】
請求項２の考案によれば、請求項１のハンガー用補助具とほぼ同様の構造であり、ハンガーの１対の傾斜部材の１対の下端部を繋ぐ水平部材に１対の屈曲部を連結部材（例えば、紐）で連結して使用するため、請求項１と同様の効果が得られる。
【００１４】
請求項３の考案によれば、屈曲部をハンガーに縛る為の紐を屈曲部に取り付けたので、ハンガー用補助具をハンガーに引っ掛けた使用状態で、ハンガー用補助具が水平部材に沿って移動するのを規制できる。
【００１５】
請求項４の考案によれば、針金は合成樹脂被膜で被覆されているので、ハンガー用補助具が錆びるのを防止できる。
【図面の簡単な説明】
【００１６】
【図１】本考案の実施例１に係るハンガー用補助具の使用状態を示す斜視図である。
【図２】上記ハンガー用補助具を製作途中の長方形枠の正面図である。
【図３】上記ハンガー用補助具の斜視図である。
【図４】実施例２のハンガー用補助具の使用状態を示す斜視図である。
【考案を実施するための形態】
【００１７】
以下、本考案を実施するための形態について実施例に基づいて説明する。
【実施例１】
【００１８】
以下、本考案の実施例について図面に基づいて説明する。
図１〜図３に示すように、ハンガー用補助具１は、ハンガーＨに掛けた洗濯物であるシャツＳの内部に配置可能なハンガー用補助具である。このハンガー用補助具１は、１本の針金からなる１対の長辺部３，４と１対の短辺部５，６を有する長方形枠２を、１対の長辺部３，４の中間部で鋭角的に折り曲げることで、前記１対の中間部を鋭角状の屈曲部Ａ，Ａとして繋がった１対の逆門形枠７，８を形成し、ハンガーＨの１対の傾斜部材ａ，ｂの１対の下端部を繋ぐ水平部材ｃに上記１対の屈曲部Ａ，Ａを引っ掛けた使用状態では、ハンガーＨに掛けられたシャツＳの内部空間を１対の逆門形枠７，８で拡大可能に構成してある。
【００１９】
図２、図３に示すように、ハンガー用補助具１を形成するための長方形枠２は、合成樹脂被膜で被覆された１本の針金で構成されている。この長方形枠２は、１対の長辺部３，４と１対の短辺部５，６を有する。長方形枠２の１対の長辺部３，４は例えば約４０ｃｍ、１対の短辺部５，６は例えば約２２ｃｍに形成されており、針金の両端は、例えば、片方の短辺部６の中間位置で接近対向している。尚、この針金の両端部に、合成樹脂製のチューブ等を被覆して連結してもよいし、針金の両端部を接着剤や溶接で接合してもよい。
【００２０】
長方形枠２の１対の長辺部３，４の中間部を結ぶ１点鎖線Ｌにおいて、１対の長辺部３，４を山折りとなるよう、１対の中間部で鋭角的（例えば、約１５度）に折り曲げると、１対の中間部を鋭角状の屈曲部Ａ，Ａとして繋がった１対の逆門形枠７，８が形成され、図３に示すハンガー用補助具１が完成する。
【００２１】
図１に示すように、ハンガー用補助具１は、ハンガーＨの１対の傾斜部材ａ，ｂの１対の下端部を繋いだ水平部材ｃに、１対の屈曲部Ａ，Ａを引っ掛けた状態で使用する。
この使用状態において、洗濯物であるシャツＳをハンガーＨの１対の傾斜部材ａ，ｂに掛けると、シャツＳの前身頃と後見頃が、１対の逆門形枠７，８で夫々外側へ押し広げられて、前身頃と後見頃の間の内部空間が拡大する。
尚、子供用のシャツ等を干す場合など、ハンガーＨの１対の傾斜部材ａ，ｂに、ハンガー用補助具１の１対の屈曲部Ａ，Ａを引っ掛けた状態で使用してもよい。
【００２２】
図１に示す使用状態では、ハンガーＨの水平部材ｃにハンガー用補助具１の屈曲部Ａ，Ａを１対の紐９，１０で夫々縛って固定している。但し、本実施例１における上記１対の紐９，１０は必須のものではなく、省略可能である。
【００２３】
次に、以上説明したハンガー用補助具１の作用、効果について説明する。
ハンガー用補助具１によれば、１本の針金からなる１対の長辺部３，４と１対の短辺部５，６を有する長方形枠２を、１対の長辺部３，４の中間部で鋭角的に折り曲げることで、１対の中間部を鋭角状の屈曲部Ａ，Ａとして繋がった１対の逆門形枠７，８を形成したので、少ない部品点数の簡単な構造のハンガー用補助具１になり、ハンガー用補助具１を安価に製造することができる。
【００２４】
ハンガーＨの１対の傾斜部材ａ，ｂの１対の下端部を繋ぐ水平部材ｃに上記１対の屈曲部Ａ，Ａを引っ掛けた使用状態で、ハンガーＨに掛けられた洗濯物の内部空間を１対の逆門形枠７，８でもって拡大可能に構成したので、ハンガー用補助具１を取り付けたハンガーＨに濡れた状態のシャツＳを掛けると、シャツＳの内部空間が拡大され、前身頃と後見頃が互いに密着するのを防いで、シャツＳの乾燥を促進することができる。
【００２５】
また、屈曲部Ａ，ＡをハンガーＨに縛る為の紐9 ，１０を屈曲部Ａ，Ａに取り付けたので、ハンガー用補助具１をハンガーＨに引っ掛けた使用状態で、ハンガー用補助具１が水平部材ｃに沿って左右方向へ移動するのを規制し、ハンガーＨが傾いてシャツＳが外れ落ちることを防止できる。
さらに、ハンガー用補助具１を形成する長方形枠２は１本の針金で構成され、この針金が合成樹脂被膜で被覆されているので、ハンガー用補助具が錆びるのを防止できる。
尚、上記の実施例では、ハンガーＨは針金製のハンガーを例にして説明したが、ハンガーＨは合成樹脂製のハンガーであってもよい。
【実施例２】
【００２６】
図４に示すように、このハンガー用補助具１Ａは、下記の連結部材１１，１２以外の構成は、前記のハンガー用補助具１と同様であるので、同様の構成要素に同一符号を付して説明を省略し、異なる構成についてのみ説明する。
【００２７】
このハンガー用補助具１Ａは、ハンガーに掛けた洗濯物の内部に配置可能なハンガー用補助具である。このハンガー用補助具１Ａは、１本の針金からなる１対の長辺部３，４と１対の短辺部５，６を有する長方形枠２を、１対の長辺部３，４の中間部で鋭角的に折り曲げることで、前記１対の中間部を鋭角状の屈曲部Ａ，Ａとして繋がった１対の逆門形枠７，８を形成し、ハンガーＨの１対の傾斜部材ａ，ｂの１対の下端部を繋ぐ水平部材ｃに上記１対の屈曲部Ａ，Ａを連結部材１１，１２で連結した使用状態では、ハンガーＨに掛けられた洗濯物の内部空間を１対の逆門形枠７，８でもって拡大可能に構成してある。
【００２８】
尚、本実施例の場合、前記連結部材１１，１２は可撓性のある紐で構成しているが、連結部材１１，１２は合成樹脂製のフックや針金製の連結具で構成してもよい。
上記の連結部材１１，１２以外の構造は、実施例１のハンガー用補助具１と同様であるから、前記のハンガー用補助具１と同様の作用、効果を奏する。
【００２９】
次に、前記実施例を部分的に変更した変更例について説明する。
１］長方形枠２の１対の長辺部３，４の長さ約４０ｃｍ、１対の短辺部５，６の長さ約２２ｃｍは、一例を示すものであり、これらの長さに限定されるものではなく、洗濯物の種類に応じた種々のサイズのものとするのが望ましい。
２］ハンガー用補助具１において、紐９，１０を省略し、ハンガーＨの水平部材ｃに、ハンガー用補助具１の１対の屈曲部Ａ，Ａを係合可能な下方へＵ形に湾曲した１対のＵ形部を設けてもよい。
【００３０】
３］長方形枠２の１点鎖線Ｌにおいて山折りとなるよう、１対の中間部で鋭角的に折り曲げる際、屈曲部Ａ，Ａの鋭角は約１５度に限定されるものでなく、洗濯物の内部空間の拡大具合に応じて適宜変更される。尚、針金製であるため、屈曲部Ａ，Ａの屈曲角は手で拡大又は縮小することができる。
４］ハンガー用補助具１を、屈曲部Ａ，Ａを屈曲角０度に折り曲げて、コンパクトに収納するために、１対の短辺部５，６になんらかの留め具を設けてもよい。
【符号の説明】
【００３１】
１，１Ａ  ハンガー用補助具
２        長方形枠
３，４    長辺部
５，６    短辺部
７，８    逆門形枠
Ｈ        ハンガー
Ａ        屈曲部
ａ，ｂ    傾斜部材
ｃ        水平部材
９，１０    紐
１１，１２  連結部材
【図１】
0003155109.tif 000003
【図２】
0003155109.tif 000004
【図３】
0003155109.tif 000005
【図４】
0003155109.tif 000006